(57)【要約】【課題】  無線通信基地局をＩＰ網に接続しても、公衆網と同期を取ることができるようにする。【解決手段】  構内通信システム１は、ＩＳＤＮ公衆網Ｐと接続されている公衆網インタフェース１０と、この公衆網インタフェース１０に接続されているＩＰ網２０と、ＩＰ網２０に接続されている第１及び第２のＩＰ接続型ＰＨＳ基地局３０，３５を備えている。第１のＰＨＳ基地局３０は、公衆網Ｐと直接接続され、この公衆網Ｐに流れる通信データ５０から、１２５μｓ周期の周期信号５５を抽出する公衆網インタフェース部３１と、この周期信号５５から、この周期信号の周期の整数倍の周期の同期信号５６を作成する同期信号回路部３３と、同期信号５４に同期させて無線電波を出力する無線制御部３４とを有する。【選択図】  図１
2006093943.tif 000002
【特許請求の範囲】
【請求項１】
ＴＤＭＡ（Time  Division  Multiple  Access）方式の携帯電話の無線通信基地局において、
ＩＰ（Internet  Protocol）網に接続されているＩＰ網中継手段と、
前記ＩＰ網を介さずに、周期的な信号が流れている公衆網に有線接続され、該公衆網から該周期的な信号を抽出する周期信号抽出手段と、
前記ＩＰ網中継手段との間でデータのやり取りを行い、前記周期信号抽出手段で抽出された前記周期的な信号に同期させて、無線信号を出力する無線信号制御手段と、
を備えていることを特徴とする無線通信基地局。
【請求項２】
請求項１に記載の無線通信基地局において、
前記周期信号抽出手段は、前記公衆網としてのＩＳＤＮ（Integrated  Services  Digital  Network）に接続されている、
ことを特徴とする無線通信基地局。
【請求項３】
請求項２に記載の無線通信基地局において、
前記周期信号抽出手段で抽出された前記周期的な信号を用いて、該周期的な信号に同期した同期信号であって、前記ＩＳＤＮが各種インタフェース仕様のうちのいずれの仕様であっても同じ同期信号を生成する同期信号生成手段を備え、
前記無線信号制御手段は、前記同期信号に同期させて、無線信号を出力する、
ことを特徴とする無線通信基地局。
【請求項４】
請求項３に記載の無線通信基地局において、
前記同期信号は、１２５μｓの整数倍の周期で出力される信号である、
ことを特徴とする無線通信基地局。
【請求項５】
請求項２から４のいずれか一項に記載の無線通信基地局において、
前記ＩＳＤＮは、基本インタフェース仕様のＩＳＤＮと、一次群速度インタフェース仕様のＩＳＤＮと、Ｉインタフェース仕様のＩＳＤＮと、Ｙインタフェース仕様のＩＳＤＮとのうちのいずれか一つである
ことを特徴とする無線通信基地局。
【請求項６】
請求項１から５のいずれか一項に記載の無線通信基地局（以下、第１の基地局とする）と、
前記ＩＰ網に接続され、ＩＰ網からの信号をＴＤＭＡ方式の携帯電話に送信する１以上の第２の基地局と、
を備え、
前記第２の基地局は、前記第１の基地から発信された前記無線信号から周期的な信号を取得する周期信号取得手段と、該周期的な信号に同期させて、無線信号を出力する無線信号制御手段と、を有する、
ことを特徴とする構内通信システム。
【請求項７】
請求項６に記載の構内通信システムにおいて、
１以上の前記第２の基地局の前記無線信号制御手段は、それぞれ、
無線電波に含めるＴＤＭＡフレームの同期を取るフレーム同期化手段と、
前記第２の基地局の前記無線信号制御手段が発信する無線電波中の複数のＴＤＭＡフレームのうちで、自基地局のデータを入れるフレームを、他の第２の基地局及び前記第１の基地局を含む他の基地局が発信した無線電波中の該他の基地局のデータが入っているフレームに対して、異なるタイミングで送出する棲み分け処理手段と、
を有する、
ことを特徴とする構内通信システム。
【請求項８】
請求項６及び７のいずれか一項に記載の構内通信システムにおいて、
前記公衆網に接続された構内交換機と、
前記構内交換機、前記第１の基地局及び前記第２の基地局に接続されている前記ＩＰ網と、
を備えていることを特徴とする構内通信システム。
【請求項９】
ＴＤＭＡ方式の携帯電話の複数の無線通信基地局と、複数の該無線通信基地局に接続されているＩＰ網と、を備えている構内通信システムでの無線信号制御方法において、
複数の前記無線通信基地局のうち、第１の無線通信基地局では、前記ＩＰ網を介さずに、周期的な信号が流れている公衆網から該周期的な信号を抽出する周期信号抽出工程と、該周期的な信号に同期させて、前記無線信号を出力する無線信号制御工程と、を実行し、
複数の前記無線通信基地局のうち、前記第１の無線通信基地局を除く１以上の第２の無線通信基地局では、前記第１の無線電話通信基地又は他の第２の通信基地局から発信された無線信号から周期的な信号を取得する周期信号取得工程と、該周期的な信号に同期させて、無線信号を出力する無線信号制御工程と、を実行する、
ことを特徴とする無線信号制御方法。
【請求項１０】
請求項９に記載の無線信号制御方法において、
前記公衆網は、ＩＳＤＮ（Integrated  Services  Digital  Network）であり、
前記第１の無線通信基地局では、前記周期信号抽出工程で抽出された前記周期的な信号を用いて、該周期的な信号に同期した同期信号であって、前記ＩＳＤＮが各種インタフェース仕様のうちのいずれの仕様であっても同じ同期信号を生成する同期信号生成工程を実行し、該第１の無線通信基地局の前記無線信号制御工程では、該同期信号に同期させて、無線信号を出力する、
ことを特徴とする無線電話通信制御方法。
【発明の詳細な説明】
【技術分野】
【０００１】
本発明は、ＴＤＭＡ（Time  Division  Multiple  Access）方式の携帯電話の無線通信基地局、これを備えた構内通信システム、及び無線通信基地局での無線信号制御方法に関する。
【背景技術】
【０００２】
従来の無線電話通信システムとしては、例えば、以下の特許文献１に開示されているものがある。
【０００３】
この無線電話通信システムは、当該システム内の基地局相互間、更には、近くの他のシステム内の基地局と当該システム内の基地局との間での無線信号の非同期干渉を回避するために、公衆網であるＩＳＤＮから周期的な信号を抽出して、この信号に無線信号を同期させている。
【０００４】
【特許文献１】特開２０００−７８６４７号公報
【発明の開示】
【発明が解決しようとする課題】
【０００５】
しかしながら、従来の無線電話通信システムでは、ＩＰ網を経由してきたデータも扱えるように、基地局をＩＰ網に接続すると、公衆網と同期を取ることができなくなるという問題点がある。具体的には、例えば、図８に示すように、ＩＳＤＮ公衆網Ｐに接続された構内交換装置等の公衆網インタフェース１０に、ＩＰ網２０を接続し、このＩＰ網２０に基地局３９を接続したとする。このような場合、ＩＰ網２０内では、揺らぎやパケット損失等があるため、ＩＳＤＮ公衆網Ｐでの周期的な信号を正確な周期で基地局３９に送ることができず、公衆網Ｐと同期をとることができない。
【０００６】
本発明は、このような従来の問題点に着目してなされたもので、ＩＰ網と接続されていても、公衆網と同期をとることができる無線通信基地局、これを備えた通信システム、無線通信基地局での無線信号制御方法を提供することを目的とする。
【課題を解決するための手段】
【０００７】
前記問題点を解決するための無線通信基地局に係る発明は、
ＴＤＭＡ（Time  Division  Multiple  Access）方式の携帯電話の無線通信基地局において、
ＩＰ（Internet  Protocol）網に接続されているＩＰ網中継手段と、
前記ＩＰ網を介さずに、周期的な信号が流れている公衆網に有線接続され、該公衆網から該周期的な信号を抽出する周期信号抽出手段と、
前記ＩＰ網中継手段との間でデータのやり取りを行い、前記周期信号抽出手段で抽出された前記周期的な信号に同期させて、無線信号を出力する無線信号制御手段と、を備えていることを特徴とする。
【０００８】
ここで、前記無線通信基地局の前記周期信号抽出手段は、前記公衆網としてのＩＳＤＮ（Integrated  Services  Digital  Network）に接続されているものであってもよい。この場合、前記無線通信基地局は、前記周期信号抽出手段で抽出された前記周期的な信号を用いて、該周期的な信号に同期した同期信号であって、前記ＩＳＤＮが各種インタフェース仕様のうちのいずれの仕様であっても同じ同期信号を生成する同期信号生成手段を備え、前記無線信号制御手段は、前記同期信号に同期させて、無線信号を出力するものであることが好ましい。さらに、前記同期信号は、１２５μｓの整数倍の周期で出力される信号であることが好ましい。
【０００９】
また、前記問題点を解決するための構内通信システムに係る発明は、
以上の無線通信基地局（以下、第１の基地局とする）と、前記ＩＰ網に接続され、ＩＰ網からの信号をＴＤＭＡ方式の携帯電話に送信する１以上の第２の基地局とを備え、
前記第２の基地局は、前記第１の基地から発信された前記無線信号から周期的な信号を取得する周期信号取得手段と、該周期的な信号に同期させて、無線信号を出力する無線信号制御手段と、を有することを特徴とする。
【００１０】
前記問題点を解決するための無線信号制御方法は、
ＴＤＭＡ方式の携帯電話の複数の無線通信基地局と、複数の該無線通信基地局に接続されているＩＰ網と、を備えている構内通信システムでの無線信号制御方法において、
複数の前記無線通信基地局のうち、第１の無線通信基地局では、前記ＩＰ網を介さずに、周期的な信号が流れている公衆網から該周期的な信号を抽出する周期信号抽出工程と、該周期的な信号に同期させて、前記無線信号を出力する無線信号制御工程と、を実行し、
複数の前記無線通信基地局のうち、前記第１の無線通信基地局を除く１以上の第２の無線通信基地局では、前記第１の無線電話通信基地又は他の第２の通信基地局から発信された無線信号から周期的な信号を取得する周期信号取得工程と、該周期的な信号に同期させて、無線信号を出力する無線信号制御工程と、を実行することを特徴とする。
【発明の効果】
【００１１】
本発明では、ＩＰ網に接続されている無線通信基地局が、このＩＰ網を介さずに、周期的な信号が流れている公衆網にも直接接続され、この公衆網から周期的な信号を抽出して、この周期的な信号に同期させて、無線信号を出力しているので、公衆網と同期を取ることができる。
【発明を実施するための最良の形態】
【００１２】
以下、本発明に係る構内通信システムの一実施形態について、図面を用いて説明する。
【００１３】
本実施形態の構内通信システムは、図１に示すように、ＩＳＤＮ公衆網Ｐに接続されている公衆網インタフェース１０と、ＬＡＮ回線によるＩＰ網２０と、このＩＰ網２０に接続された第１の及び第２のＩＰ接続型ＰＨＳ基地局３０，３５と、を備えている。
【００１４】
公衆網インタフェース１０は、公衆網Ｐと接続されている公衆網インタフェース装置１１と、構内交換スイッチ回路１２と、ＩＰ網２０に接続するためのＩＰ内線インタフェース装置１３と、を備えている。
【００１５】
第１の及び第２のＩＰ接続型ＰＨＳ基地局３０，３５は、いずれも、ＴＤＭＡ（Time  Division  Multiple  Access）−ＴＤＤTime  Division  Duplex）方式の携帯電話であるＰＨＳ（Personal  Handy-phone  System）の無線通信を中継するもので、電波産業会（ARIB）のRCR標準規格に基づいて無線区間での呼制御を実行する。例えば、これらのＰＨＳ基地局３０，３５は、これらの無線通信可能範囲内に存在するＰＨＳ相互間の無線通信の中継や、これらの基地局３０，３５に接続されているＩＰ網２０及び公衆網インタフェース１０を介して、公衆網Ｐに接続された端末との間での通信の中継等を行う。
【００１６】
第１のＩＰ接続型ＰＨＳ基地局３０は、公衆網インタフェース１０及びＩＰ網２０を介することなく、ＩＳＤＮ公衆網Ｐに直接接続され、この公衆網Ｐに流れている周期的な信号を抽出する公衆網インタフェース部３１と、公衆網インタフェース部３１で抽出された周期的な信号に基づいて公衆網Ｐに同期した同期信号を作成する同期信号回路部３３と、ＩＰ網に接続されているＩＰインタフェース部３２と、ＩＰインタフェース部３２からの通信データの無線送信処理や外部からの無線電波の受信処理等を行う無線制御部３４と、を有している。また、第２のＩＰ接続型ＰＨＳ基地局３５は、ＩＰ網に接続されているＩＰインタフェース部３２と、ＩＰインタフェース部３２からの通信データの無線送信処理や外部からの無線信号の受信処理を行う無線制御部３４と、同じ構内通信システム１内の基地局３０からの無線電波と同期を取る同期処理部３６と、を有している。なお、同期処理部３６は、実際には、無線制御部３４内にある。
【００１７】
次に、各ＰＨＳ基地局が無線発信時に取り扱うＴＤＭＡ−ＴＤＤフレームについて説明する。
【００１８】
図６に示すように、ＴＤＭＡ−ＴＤＤフレームは、ＡＲＩＢで標準化された第二世代コードレス電話システム標準規格の無線区間のスロット構成であり、最小単位である1スロットは２４０ビットで構成され、８スロットで1フレーム（５ｍｓ）を構成している。ＴＤＭＡ−ＴＤＤフレームには、自構内通信システムの識別子である呼出符号、自基地局の識別子、使用周波数等のデータが含まれている制御ＣＨ信号としてのＴＤＭＡ−ＴＤＤフレームがある。この制御ＣＨ信号は、図７に示すように、Ｎ個（２５≦Ｎ≦６０）のフレーム毎に、送出される。なお、この制御ＣＨ信号に関しては、電波産業会（ARIB）のRCR標準規格で規格化されている。
【００１９】
本実施形態では、後述するように、構内通信システム１内の各ＰＨＳ基地局３０，３５の相互間で、無線電波中のＴＤＭＡ−ＴＤＤフレームの同期を取って、信号干渉によるノイズの低減等を実現している。また、本実施形態では、フレームの同期を取った上で、自基地局の制御ＣＨ信号の送出位置を他の基地局の制御ＣＨ信号の送出位置と異ならせる、つまり、制御ＣＨ信号の棲み分け処理を行っている。
【００２０】
第１のＩＰ接続型ＰＨＳ基地局３０の公衆網インタフェース部３１は、前述したように、ＩＳＤＮ公衆網Ｐに流れている周期的な信号を抽出する。例えば、ＩＳＤＮ公衆網Ｐの仕様が基本インタフェース仕様（２Ｂ＋Ｄ構成）である場合、図２に示すように、ＩＳＤＮ公衆網Ｐには、４８ビットを１フレームとした通信データ５０が流れている。この通信データ５０中には、２５０μｓ毎にフレームビットが存在するため、公衆網インタフェース部３１は、ＩＳＤＮ公衆網Ｐからの通信データ５０の中から、このフレームビットを検出する。さらに、フレームビットを受信してから、順次受信したビット数をカウントし、カウント数が２４になった時点、つまり、１フレームを構成するビット数（４８）の半分のビット数（２４）になった時点を検出する。そして、フレームビットを検出した時点を「１」、さらに、フレームビットを検出してからビット数のカウントが２４になった時点を「１」とする周期信号を出力する。すなわち、公衆網インタフェース部３１は、通信データの１フレームを構成するビット数の半分のビット数を検知する毎に周期信号「１」を出力する、言い換えると、１２５μｓ周期の周期信号を出力する。
【００２１】
第１のＩＰ接続型ＰＨＳ基地局３０の同期回路部３３は、図３に示すように、１２５μｓ周期の周期信号５５を受信して、この周期信号５５の８０倍の１０ｍｓ周期で「１」となる同期信号５６を生成し、この同期信号５６を無線制御部３４へ送信する。なお、この同期信号５６が「１」の時間は、周期信号５６の周期と同じ１２５μｓである。
【００２２】
また、第１のＩＰ接続型ＰＨＳ基地局３０のＩＰインタフェース部３２は、ＩＰ網２０からの信号を受信し、これを無線制御部３４に送信する。この信号は、「背景技術」の欄で説明したように、ＩＳＤＮ公衆網Ｐに同期していない。無線制御部３４は、このＩＰインタフェース部３２からの信号をＴＤＭＡ−ＴＤＤフレームに変換して、これを無線発信する。無線制御部３４は、この際、図３に示すように、電波に重畳する前のＴＤＭＡ−ＴＤＤフレーム５７のうちから、同期信号５６を受信してから一定時間後（例えば５ｍｓ後）の時点に相当するビットをＭビットと定義し、このＭビットを基準にして、電波に重畳したＴＤＭＡ−ＴＤＤフレーム５８を発信する。つまり、同期信号５６を受信してから一定時間後にＴＤＭＡ−ＴＤＤフレーム５８を発信する。このＴＤＭＡ−ＴＤＤフレーム５８は、５ｍｓ分を１フレームとして発信される。以上のように、この第１のＩＰ接続型ＰＨＳ基地局３０から発信されるＴＤＭＡ−ＴＤＤフレーム５８は、ＩＳＤＮ公衆網Ｐに同期している。なお、図３では、同期信号５６を受信してから一定時間後に、丁度に得られたビットをＭビットとしているが、実際には、同図中の破線で示すように、同期信号５６を受信してから一定時間するまでの間で、最後に得られていたビットをＭビットとし、このＭビットのデータを、同期信号５６を受信してから一定時間にＴＤＭＡ−ＴＤＤフレームとして無線発信している。
【００２３】
第２のＩＰ接続型ＰＨＳ基地局３５では、無線制御部３４が第１のＩＰ接続型ＰＨＳ基地局３０からの無線電波を受信すると、これを同期処理部３６に渡す。この同期処理部３６では、この無線電波からの制御ＣＨ信号の抽出処理を実行する。この処理で、制御ＣＨ信号が抽出されると、この制御ＣＨ信号を解読して、この制御ＣＨ信号に含まれている呼出符号等から、自構内通信システム１内の基地局からの制御ＣＨ信号であるか否か、さらに、自構内通信システム１内のいずれの基地局であるかを調べる。そして、抽出した制御ＣＨ信号が、自構内通信システム１内の基地局からの無線電波に含まれている制御ＣＨ信号であること、自基地局よりも小さい数字の識別子であることが確認できれば、目的の制御ＣＨ信号を検出したと判断する。なお、基地局の識別子の数字は、同期させる無線信号の発信側が小さい数字になっている。この制御ＣＨ信号の抽出処理を所定時間実行しても、目的の制御ＣＨ信号を抽出できない場合には、第１のＰＨＳ基地局３０とは非同期の自走モードを実行する。自走モードが開始されると、自走モードの開始時刻からの時間を計測し、予め定めた時間が経過すると、再び、無線制御部３４から無線電波に含まれている信号を受け付けて、制御ＣＨ信号の抽出処理を実行する。
【００２４】
第１のＩＰ接続型ＰＨＳ基地局３０の制御ＣＨ信号を検出できたならば、同期処理部３６は、この制御ＣＨ信号のフレームに、自基地局のフレームを合わせるフレーム同期処理を実行する。続いて、抽出した制御ＣＨ信号が含んでいるフレームの位置とは異なるフレームの位置に、自基地局の制御ＣＨ信号を含ませる、つまり、棲み分け処理を実行する。
【００２５】
以上の処理で同期処理が終了し、同期モードとなる。この同期モードが開始されると、同期処理部３６は、同期モードの開始時刻からの時間を計測し、予め定めた同期確認時間が経過すると、改めて同期処理を行う。
【００２６】
なお、この構内通信システム１がさらに他の第２のＩＰ接続型ＰＨＳ基地局を備えている場合、この他の第２のＩＰ接続型ＰＨＳ基地局は、先のＩＰ接続型ＰＨＳ基地局３５からの無線電波から、先のＩＰ接続型ＰＨＳ基地局３５の制御ＣＨ信号を抽出し、この制御ＣＨ信号に基づいて、以上と同様の同期処理を実行する。
【００２７】
以上のように、本実施形態では、構内通信システム１の各基地局３０，３５のうちの第１のＩＰ接続型ＰＨＳ基地局３０がＩＳＤＮ公衆網Ｐに流れている通信データを直接受信し、これと同期を取り、残りの第２のＩＰ接続型ＰＨＳ基地局３５が第１のＩＰ接続型ＰＨＳ基地局３０から発信された無線電波に同期させているので、各ＩＰ接続型ＰＨＳ基地局３０，３５が出力する無線電波を、ＩＳＤＮ公衆網Ｐに同期させることができる。
【００２８】
なお、以上の実施形態は、公衆網Ｐが基本インタフェース仕様のＩＳＤＮ公衆網であるが、本発明は、これに限定されるものではなく、一次群速度インタフェース仕様（２３Ｂ＋Ｄ構成）のＩＳＤＮ公衆網、Ｉインタフェース仕様のＩＳＤＮ公衆網、Ｙインタフェース仕様のＩＳＤＮ公衆網等であってもよい。これら各インタフェース仕様のＩＳＤＮ公衆網では、図４及び図５に示すように、いずれの網内の通信データ中にも、１２５μｓ毎のフレームビットが存在する。したがって、これらの公衆網に接続する場合には、このフレームビットを検出して、以上の実施形態と同様に周期信号を作成し、さらに、これに基づいて同期信号を作成すればよい。このように、インタフェース仕様が異なる場合でも、以上の実施形態と同じ周期の周期信号及び同期信号を作成することで、第１のＩＰ接続型ＰＨＳ基地局３０の無線制御部３４の仕様を変える必要が無くなる。
【００２９】
また、以上の実施形態では、他のインタフェース仕様と併せるために、基本インタフェース仕様のＩＳＤＮ網の通信データから１２５μｓ毎の周期信号を抽出したが、基本インタフェース仕様のＩＳＤＮ公衆網の通信データから２５０μｓ毎の周期信号を抽出し、他のインタフェース仕様のＩＳＤＮ公衆網の通信データから周期信号を抽出する際、この２５０μｓの周期にあった周期の周期信号を抽出するようにしてもよい。
【図面の簡単な説明】
【００３０】
【図１】本発明に係る一実施形態における構内通信システムの構成を示す説明図である。
【図２】本発明に係る一実施形態で、ＩＳＤＮ基本インタフェース仕様の通信データから周期信号を作成方法を示す説明図である。
【図３】本発明に係る一実施形態で、図２における周期信号から同期信号を作成し、この同期信号に同期させてＴＤＭＡ−ＴＤＤフレームを無線発信する方法を示す説明図である。
【図４】ＩＳＤＮ一次群速度インタフェース仕様の通信形態を示す説明図である。
【図５】ＩＳＤＮのＩインタフェース仕様及びＹインタフェース仕様の通信形態を示す説明図である。
【図６】ＴＤＭＡ−ＴＤＤフレーム構成を示す説明図である。
【図７】本発明に係る一実施形態の各基地局の棲み分け処理を示す説明図である。
【図８】仮に、無線通信基地局をＩＰ網に接続した場合の構内通信システムの構成を示す説明図である。
【符号の説明】
【００３１】
１，１ａ：構内通信システム              １０，１０ａ：公衆網インタフェース
１１：公衆網インタフェース装置          １２：構内交換スイッチ回路
１３：ＩＰ内線インタフェース装置        ２０：ＩＰ網
３０：第１のＩＰ接続型ＰＨＳ基地局        ３１：公衆網インタフェース部
３２：ＩＰインタフェース部              ３３：同期回路部
３４：無線制御部                        ３５：第２のＩＰ接続型ＰＨＳ基地局
５４，５６：同期信号                    ５５：周期信号
【図１】
2006093943.tif 000003
【図２】
2006093943.tif 000004
【図３】
2006093943.tif 000005
【図４】
2006093943.tif 000006
【図５】
2006093943.tif 000007
【図６】
2006093943.tif 000008
【図７】
2006093943.tif 000009
【図８】
2006093943.tif 000010